(57)【要約】【課題】暗号化データの印刷を可能にする。【解決手段】本発明の情報端末装置は、暗号化データの送信先の画像形成装置に対し、暗号化データの印刷が可能か否かを問い合わせる問い合わせ部と、問い合わせ部による問い合わせに対する回答を、画像形成装置から受信する回答受信部と、暗号化データの印刷が不可能である旨の回答を回答受信部が受信した場合に、暗号化データを復号化し、画像形成装置で処理可能な印刷データを生成する印刷データ生成部と、印刷データ生成部で生成された画像形成装置で処理可能な印刷データを、画像形成装置に送信する印刷データ送信部とを備える。【選択図】図１
2020087244.tif 000002
【特許請求の範囲】
【請求項１】
暗号化データの送信先の画像形成装置に対し、前記暗号化データの印刷が可能か否かを問い合わせる問い合わせ部と、
前記問い合わせ部による前記問い合わせに対する回答を、前記画像形成装置から受信する回答受信部と、
前記暗号化データの印刷が不可能である旨の回答を前記回答受信部が受信した場合に、前記暗号化データを復号化し、前記画像形成装置で処理可能な印刷データを生成する印刷データ生成部と、
前記印刷データ生成部で生成された前記画像形成装置で処理可能な印刷データを、前記画像形成装置に送信する印刷データ送信部と
を備える
情報端末装置。
【請求項２】
前記印刷データ生成部は、前記暗号化データを復号化し、復号化されたデータを再暗号化して再暗号化データを生成する
請求項１に記載の情報端末装置。
【請求項３】
前記印刷データ生成部は、復号化されたデータを自端末装置の固有情報を用いて再暗号化して前記再暗号化データを生成し、
前記印刷データ送信部は、前記画像形成装置で処理可能な印刷データとして、前記再暗号化データを送信する
請求項２に記載の情報端末装置。
【請求項４】
前記暗号化データの印刷が可能である旨の回答を前記回答受信部が受信した場合に、前記画像形成装置からの表示命令に応じて、前記暗号化データを復号化する復号化情報の入力を受け付ける入力画面を表示する画面表示部、
をさらに備える
請求項１ないし３のいずれか１つに記載の情報端末装置。
【請求項５】
暗号化データの印刷が可能か否かの問い合わせを、情報端末装置から受信する問い合わせ受信部と、
前記問い合わせ受信部が受信した前記問い合わせに対する回答を前記情報端末装置に送信する回答送信部と、
前記暗号化データの印刷が不可能である旨の回答を前記回答送信部が送信した場合に、前記情報端末装置において前記暗号化データを復号化した後に前記情報端末装置の固有情報を用いて再暗号化された再暗号化データを、前記情報端末装置から受信する印刷データ受信部と、
前記印刷データ受信部が受信した前記再暗号化データを、前記情報端末装置の前記固有情報を用いて印刷データとして復号化し、復号化された前記印刷データの印刷処理を実行する印刷実行部と
を備える
画像形成装置。
【請求項６】
前記暗号化データの印刷が可能である旨の回答を前記回答送信部が送信した場合に、前記情報端末装置に、前記暗号化データを復号化する復号化情報の入力を受け付ける入力画面を表示させる表示命令を送信する表示命令送信部、
をさらに備える
請求項５に記載の画像形成装置。
【請求項７】
画像形成装置と、
前記画像形成装置に暗号化データの印刷処理を行わせる情報端末装置と
を含み、
前記情報端末装置は、
前記画像形成装置に対し、前記暗号化データの印刷が可能か否かを問い合わせる問い合わせ部と、
前記問い合わせ部による前記問い合わせに対する回答を、前記画像形成装置から受信する回答受信部と、
前記暗号化データの印刷が不可能である旨の回答を前記回答受信部が受信した場合に、前記暗号化データを復号化し、前記画像形成装置で処理可能な印刷データを生成する印刷データ生成部と、
前記印刷データ生成部で生成された前記画像形成装置で処理可能な印刷データを、前記画像形成装置に送信する印刷データ送信部と
を備え、
前記画像形成装置は、
前記暗号化データの印刷が可能か否かの問い合わせを、前記情報端末装置から受信する問い合わせ受信部と、
前記問い合わせ受信部が受信した前記問い合わせに対する回答を前記情報端末装置に送信する回答送信部と、
前記暗号化データの印刷が不可能である旨の回答を前記回答送信部が送信した場合に、前記情報端末装置において前記暗号化データを復号化した後に前記情報端末装置の固有情報を用いて再暗号化された再暗号化データを、前記情報端末装置から受信する印刷データ受信部と、
前記印刷データ受信部が受信した前記再暗号化データを、前記情報端末装置の前記固有情報を用いて印刷データとして復号化し、復号化された前記印刷データの印刷処理を実行する印刷実行部と
を備える
印刷システム。
【請求項８】
前記情報端末装置は、
前記暗号化データの印刷が可能である旨の回答を前記回答受信部が受信した場合に、前記画像形成装置からの表示命令に応じて、前記暗号化データを復号化する復号化情報の入力を受け付ける入力画面を表示する画面表示部、
をさらに備え、
前記画像形成装置は、
前記暗号化データの印刷が可能である旨の回答を前記回答送信部が送信した場合に、前記情報端末装置に、前記入力画面を表示させる表示命令を送信する表示命令送信部、
をさらに備える
請求項７に記載の印刷システム。
【請求項９】
暗号化データの送信先の画像形成装置に対し、前記暗号化データの印刷が可能か否かを問い合わせ部によって問い合わせることと、
前記問い合わせ部による前記問い合わせに対する回答を、回答受信部によって前記画像形成装置から受信することと、
前記暗号化データの印刷が不可能である旨の回答を前記回答受信部が受信した場合に、印刷データ生成部によって前記暗号化データを復号化し、前記画像形成装置で処理可能な印刷データを生成することと、
前記印刷データ生成部で生成された前記画像形成装置で処理可能な印刷データを、印刷データ送信部によって前記画像形成装置に送信することと
を含む
情報処理方法。
【請求項１０】
情報端末装置によって画像形成装置に暗号化データの印刷処理を行わせる第１の処理と、
前記画像形成装置によって印刷処理を行う第２の処理と
を含み、
前記第１の処理は、
前記画像形成装置に対し、前記暗号化データの印刷が可能か否かを問い合わせ部によって問い合わせることと、
前記問い合わせ部による前記問い合わせに対する回答を、回答受信部によって前記画像形成装置から受信することと、
前記暗号化データの印刷が不可能である旨の回答を前記回答受信部が受信した場合に、印刷データ生成部によって前記暗号化データを復号化し、前記画像形成装置で処理可能な印刷データを生成することと、
前記印刷データ生成部で生成された前記画像形成装置で処理可能な印刷データを、印刷データ送信部によって前記画像形成装置に送信することと
を含み、
前記第２の処理は、
前記暗号化データの印刷が可能か否かの問い合わせを、問い合わせ受信部によって前記情報端末装置から受信することと、
前記問い合わせ受信部が受信した前記問い合わせに対する回答を、回答送信部によって前記情報端末装置に送信することと、
前記暗号化データの印刷が不可能である旨の回答を前記回答送信部が送信した場合に、前記情報端末装置において前記暗号化データを復号化した後に前記情報端末装置の固有情報を用いて再暗号化された再暗号化データを、印刷データ受信部によって前記情報端末装置から受信することと、
前記印刷データ受信部が受信した前記再暗号化データを、印刷実行部によって前記情報端末装置の前記固有情報を用いて印刷データとして復号化し、復号化された前記印刷データの印刷処理を実行することと
を含む
印刷処理方法。
【発明の詳細な説明】
【技術分野】
【０００１】
本発明は、情報端末装置、画像形成装置、および印刷システム、ならびに情報処理方法、および印刷処理方法に関する。
【背景技術】
【０００２】
情報端末装置においてＰＤＦ（Portable Document Format）ファイル等の電子文書を印刷装置に印刷させる場合、プリンタドライバを用いて情報端末装置側において電子文書を印刷装置が解釈可能な印刷データ形式に変換して印刷装置に送信する。これに対して、ＰＤＦファイル等の電子文書のデータを、印刷装置に直接送信して印刷させるダイレクトプリント機能を備えた印刷装置がある（特許文献１参照）。
【先行技術文献】
【特許文献】
【０００３】
【特許文献１】特開２０１１−１６１９２９号公報
【発明の概要】
【発明が解決しようとする課題】
【０００４】
上記のような印刷装置に対して、パスワード設定された暗号化ＰＤＦファイル等の暗号化データを直接送信してダイレクトプリント機能によって印刷させようとした場合、印刷装置において暗号化データを復号化できずに印刷がキャンセルされてしまう。
【０００５】
暗号化データの印刷を可能にする情報端末装置、画像形成装置、および印刷システム、ならびに情報処理方法、および印刷処理方法を提供することが望ましい。
【課題を解決するための手段】
【０００６】
本発明の一実施の形態に係る情報端末装置は、暗号化データの送信先の画像形成装置に対し、暗号化データの印刷が可能か否かを問い合わせる問い合わせ部と、問い合わせ部による問い合わせに対する回答を、画像形成装置から受信する回答受信部と、暗号化データの印刷が不可能である旨の回答を回答受信部が受信した場合に、暗号化データを復号化し、画像形成装置で処理可能な印刷データを生成する印刷データ生成部と、印刷データ生成部で生成された画像形成装置で処理可能な印刷データを、画像形成装置に送信する印刷データ送信部とを備える。
【０００７】
本発明の一実施の形態に係る画像形成装置は、暗号化データの印刷が可能か否かの問い合わせを、情報端末装置から受信する問い合わせ受信部と、問い合わせ受信部が受信した問い合わせに対する回答を情報端末装置に送信する回答送信部と、暗号化データの印刷が不可能である旨の回答を回答送信部が送信した場合に、情報端末装置において暗号化データを復号化した後に情報端末装置の固有情報を用いて再暗号化された再暗号化データを、情報端末装置から受信する印刷データ受信部と、印刷データ受信部が受信した再暗号化データを、情報端末装置の固有情報を用いて印刷データとして復号化し、復号化された印刷データの印刷処理を実行する印刷実行部とを備える。
【０００８】
本発明の一実施の形態に係る印刷システムは、画像形成装置と、画像形成装置に暗号化データの印刷処理を行わせる情報端末装置とを含む。情報端末装置は、画像形成装置に対し、暗号化データの印刷が可能か否かを問い合わせる問い合わせ部と、問い合わせ部による問い合わせに対する回答を、画像形成装置から受信する回答受信部と、暗号化データの印刷が不可能である旨の回答を回答受信部が受信した場合に、暗号化データを復号化し、画像形成装置で処理可能な印刷データを生成する印刷データ生成部と、印刷データ生成部で生成された画像形成装置で処理可能な印刷データを、画像形成装置に送信する印刷データ送信部とを備える。画像形成装置は、暗号化データの印刷が可能か否かの問い合わせを、情報端末装置から受信する問い合わせ受信部と、問い合わせ受信部が受信した問い合わせに対する回答を情報端末装置に送信する回答送信部と、暗号化データの印刷が不可能である旨の回答を回答送信部が送信した場合に、情報端末装置において暗号化データを復号化した後に情報端末装置の固有情報を用いて再暗号化された再暗号化データを、情報端末装置から受信する印刷データ受信部と、印刷データ受信部が受信した再暗号化データを、情報端末装置の固有情報を用いて印刷データとして復号化し、復号化された印刷データの印刷処理を実行する印刷実行部とを備える。
【０００９】
本発明の一実施の形態に係る情報処理方法は、暗号化データの送信先の画像形成装置に対し、暗号化データの印刷が可能か否かを問い合わせ部によって問い合わせることと、問い合わせ部による問い合わせに対する回答を、回答受信部によって画像形成装置から受信することと、暗号化データの印刷が不可能である旨の回答を回答受信部が受信した場合に、印刷データ生成部によって暗号化データを復号化し、画像形成装置で処理可能な印刷データを生成することと、印刷データ生成部で生成された画像形成装置で処理可能な印刷データを、印刷データ送信部によって画像形成装置に送信することとを含む。
【００１０】
本発明の一実施の形態に係る印刷処理方法は、情報端末装置によって画像形成装置に暗号化データの印刷処理を行わせる第１の処理と、画像形成装置によって印刷処理を行う第２の処理とを含む。第１の処理は、画像形成装置に対し、暗号化データの印刷が可能か否かを問い合わせ部によって問い合わせることと、問い合わせ部による問い合わせに対する回答を、回答受信部によって画像形成装置から受信することと、暗号化データの印刷が不可能である旨の回答を回答受信部が受信した場合に、印刷データ生成部によって暗号化データを復号化し、画像形成装置で処理可能な印刷データを生成することと、印刷データ生成部で生成された画像形成装置で処理可能な印刷データを、印刷データ送信部によって画像形成装置に送信することとを含む。第２の処理は、暗号化データの印刷が可能か否かの問い合わせを、問い合わせ受信部によって情報端末装置から受信することと、問い合わせ受信部が受信した問い合わせに対する回答を、回答送信部によって情報端末装置に送信することと、暗号化データの印刷が不可能である旨の回答を回答送信部が送信した場合に、情報端末装置において暗号化データを復号化した後に情報端末装置の固有情報を用いて再暗号化された再暗号化データを、印刷データ受信部によって情報端末装置から受信することと、印刷データ受信部が受信した再暗号化データを、印刷実行部によって情報端末装置の固有情報を用いて印刷データとして復号化し、復号化された印刷データの印刷処理を実行することとを含む。
【発明の効果】
【００１１】
本発明の一実施の形態に係る情報端末装置、画像形成装置、もしくは印刷システム、または情報処理方法、および印刷処理方法によれば、画像形成装置において暗号化データの印刷が不可能である場合に、情報端末装置において暗号化データを復号化し、画像形成装置で処理可能な印刷データを生成するようにしたので、暗号化データの印刷が可能となる。
【図面の簡単な説明】
【００１２】
【図１】本発明の第１の実施の形態に係る印刷システムの一構成例を示すブロック図である。
【図２】第１の実施の形態に係る印刷システムにおいて、印刷装置が暗号化ＰＤＦファイルの印刷をサポートしている場合とサポートしていない場合とに共通する動作の一例を示すフローチャートである。
【図３】第１の実施の形態に係る印刷システムにおいて、印刷装置が暗号化ＰＤＦファイルの印刷をサポートしている場合の動作の一例を示すフローチャートである。
【図４】第１の実施の形態に係る印刷システムにおいて、印刷装置が暗号化ＰＤＦファイルの印刷をサポートしていない場合の動作の一例を示すフローチャートである。
【図５】第１の実施の形態に係る印刷システムにおいて、モバイル端末に表示されるパスワード入力画面の一例を示す説明図である。
【図６】第１の実施の形態に係る印刷システムにおいて、モバイル端末に表示されるパスワードエラー画面の一例を示す説明図である。
【図７】第１の実施の形態に係る印刷システムにおいて、モバイル端末に表示されるモバイル端末認証エラー画面の一例を示す説明図である。
【発明を実施するための形態】
【００１３】
以下、本発明の実施の形態について図面を参照して詳細に説明する。なお、説明は以下の順序で行う。
１．第１の実施の形態
１．１  構成
１．２  動作
１．３  効果
２．その他の実施の形態
【００１４】
＜１．第１の実施の形態＞
［１．１  構成］
図１は、本発明の第１の実施の形態に係る印刷システムの一構成例を示している。
【００１５】
（概要）
本発明は、画像形成装置と、画像形成装置に暗号化データの印刷処理を行わせる情報端末装置とを含む印刷システムに関する。また、本発明の一実施の形態に係る情報処理方法は、本発明の一実施の形態に係る情報端末装置による処理によって具現化される。また、本発明の一実施の形態に係る印刷処理方法は、本発明の一実施の形態に係る印刷システムによる処理によって具現化される。本実施の形態では、印刷システムの一例として、図１に示したように、画像形成装置を印刷装置２０００とし、情報端末装置をモバイル端末１０００とした構成例について説明する。また、本実施の形態では、暗号化データの一例として、暗号化ＰＤＦファイルの例を説明する。
【００１６】
モバイル端末１０００と印刷装置２０００は、互いに通信可能に構成されている。例えば、モバイル端末１０００と印刷装置２０００は、無線ローカルエリアネットワーク（ＬＡＮ）で互いに通信可能に構成されている。モバイル端末１０００と印刷装置２０００は、例えばＷｉ−Ｆｉ（登録商標）通信による無線ローカルエリアネットワークで通信可能に構成されている。また、モバイル端末１０００と印刷装置２０００は、ＮＦＣ通信（Near Field Communication、近距離無線通信）で通信可能に構成されていてもよい。これにより、モバイル端末１０００を印刷装置２０００に近接させることによって（かざすことによって）通信可能であってもよい。
【００１７】
（モバイル端末１０００の構成）
モバイル端末１０００は、印刷ジョブ生成部ｌ００１と、パスワード画面表示部１００２と、パスワード暗号化処理部１００３と、パスワード比較処理部１００４と、ＰＤＦ復号化処理部１００５と、ＰＤＦ暗号化処理部１００６とを備えている。また、モバイル端末１０００は、印刷ジョブ送信部１００７と、問い合わせ送信部１００８と、回答受信部１００９とを備えている。
【００１８】
本発明における情報端末装置は、暗号化データの送信先の画像形成装置に対し、暗号化データの印刷が可能か否かを問い合わせる問い合わせ部を備えている。問い合わせ送信部１００８は、本発明における問い合わせ部の一具体例に相当する。また、後述する図２のステップＳ１０００の処理は、本発明における問い合わせ部が行う処理の一具体例に相当する。
【００１９】
また、本発明における情報端末装置は、問い合わせ部による問い合わせに対する回答を、画像形成装置から受信する回答受信部を備えている。回答受信部１００９は、本発明における回答受信部の一具体例に相当する。また、後述する図２のステップＳ１００４，ステップＳ１００７の処理は、本発明における回答受信部が行う処理の一具体例に相当する。
【００２０】
また、本発明における情報端末装置は、暗号化データの印刷が不可能である旨の回答を回答受信部が受信した場合に、暗号化データを復号化し、画像形成装置で処理可能な印刷データを生成する印刷データ生成部を備えている。ＰＤＦ復号化処理部１００５、ＰＤＦ暗号化処理部１００６、および印刷ジョブ生成部１００１は、本発明における印刷データ生成部の一具体例に相当する。また、後述する図２のステップＳ１００７、図４のステップＳ３００２〜ステップＳ３００４の処理は、本発明における印刷データ生成部が行う処理の一具体例に相当する。また、本発明における印刷データ生成部が生成する印刷データは、印刷ジョブ生成部１００１が生成する印刷ジョブに含まれている。
【００２１】
印刷データ生成部は、暗号化データの印刷が不可能である旨の回答を回答受信部が受信した場合に、暗号化データを復号化し、復号化されたデータを自端末装置の固有情報（ＭＡＣアドレス等）を用いて再暗号化して再暗号化データを生成する。この印刷データ生成部による処理は、後述する図４のステップＳ３００２〜ステップＳ３００３の処理に相当する。
【００２２】
また、本発明における情報端末装置は、印刷データ生成部で生成された画像形成装置で処理可能な印刷データを、画像形成装置に送信する印刷データ送信部を備えている。印刷ジョブ送信部１００７は、本発明における印刷データ送信部の一具体例に相当する。また、後述する図２のステップＳ１００７、図４のステップＳ３００４の処理は、本発明における印刷データ送信部が行う処理の一具体例に相当する。
【００２３】
印刷データ送信部は、暗号化データの印刷が不可能である旨の回答を回答受信部が受信した場合に、画像形成装置で処理可能な印刷データとして、再暗号化データを送信する。この印刷データ送信部による処理は、後述する図４のステップＳ３００４の処理に相当する。
【００２４】
また、本発明における情報端末装置は、暗号化データの印刷が可能である旨の回答を回答受信部が受信した場合に、画像形成装置からの表示命令に応じて、暗号化データを復号化する復号化情報の入力を受け付ける入力画面を表示する画面表示部を備えている。パスワード画面表示部１００２は、本発明における画面表示部の一具体例に相当する。また、後述する図３のステップＳ２００３の処理は、本発明における画面表示部が行う処理の一具体例に相当する。また、復号化情報は、パスワード設定された暗号化ＰＤＦファイルのパスワードに相当する。また、後述する図５に示すパスワード入力画面は、本発明における復号化情報の入力を受け付ける入力画面の一具体例に相当する。
【００２５】
図１において、印刷ジョブ生成部１００１は、印刷対象である暗号化ＰＤＦファイルから、印刷装置２０００で印刷するための印刷ジョブを作成する。
【００２６】
パスワード画面表示部１００２は、印刷装置２０００から送られたパスワード入力画面表示命令を受け、暗号化ＰＤＦファイルのパスワード入力画面（後述する図５参照）を表示させる。
【００２７】
パスワード暗号化処理部１００３は、パスワード画面表示部１００２で入力されたパスワードを暗号化する。
【００２８】
パスワード比較処理部１００４は、パスワード入力画面から入力されたパスワードと暗号化ＰＤＦファイルのパスワードとを比較し、一致しているか否かを確認する。
【００２９】
ＰＤＦ復号化処理部１００５は、パスワード入力画面から入力されたパスワードを用いて暗号化ＰＤＦファイルを復号化する。
【００３０】
ＰＤＦ暗号化処理部１００６は、モバイル端末１０００内の固有情報を用い、暗号化されていないＰＤＦファイルを暗号化する。ここで固有情報とは、モバイル端末１０００のＭＡＣアドレスなどを示す。
【００３１】
印刷ジョブ送信部１００７は、印刷ジョブ生成部１００１で生成された印刷ジョブを、例えばＷｉ−Ｆｉ通信等により、印刷装置２０００に送信する。
【００３２】
問い合わせ送信部１００８は、暗号化ＰＤＦファイルの送信先の印刷装置２０００に対し、暗号化ＰＤＦファイルの印刷が可能か否か（暗号化ＰＤＦファイルの印刷をサポートしているか否か（暗号化ＰＤＦファイルの印刷サポートの有無））を、例えばＷｉ−Ｆｉ通信等により問い合わせる。
【００３３】
回答受信部１００９は、問い合わせ送信部１００８による問い合わせに対する回答を、例えばＷｉ−Ｆｉ通信等により、印刷装置２０００から受信する。
【００３４】
(印刷装置２０００の構成)
印刷装置２０００は、問い合わせ受信部２００１と、印刷ジョブ受信部２００２と、パスワード復号化処理部２００３と、パスワード比較処理部２００４と、モバイル端末認証部２００５と、印刷実行部２００６とを備えている。また、印刷装置２０００は、回答送信部２００７と、パスワード表示命令送信部２００８とを備えている。
【００３５】
本発明における画像形成装置は、暗号化データの印刷が可能か否かの問い合わせを、情報端末装置から受信する問い合わせ受信部を備えている。問い合わせ受信部２００１は、本発明における問い合わせ受信部の一具体例に相当する。また、後述する図２のステップＳ１００１の処理は、本発明における問い合わせ受信部が行う処理の一具体例に相当する。
【００３６】
また、本発明における画像形成装置は、問い合わせ受信部が受信した問い合わせに対する回答を情報端末装置に送信する回答送信部を備えている。回答送信部２００７は、本発明における回答送信部の一具体例に相当する。また、後述する図２のステップＳ１００３，ステップＳ１００６の処理は、本発明における回答送信部が行う処理の一具体例に相当する。
【００３７】
また、本発明における画像形成装置は、暗号化データの印刷が不可能である旨の回答を回答送信部が送信した場合に、情報端末装置において暗号化データを復号化した後に情報端末装置の固有情報を用いて再暗号化された再暗号化データを、情報端末装置から受信する印刷データ受信部を備えている。印刷ジョブ受信部２００２は、本発明における印刷データ受信部の一具体例に相当する。また、後述する図４のステップＳ３００５の処理は、本発明における印刷データ受信部が行う処理の一具体例に相当する。
【００３８】
また、本発明における画像形成装置は、印刷データ受信部が受信した再暗号化データを、情報端末装置の固有情報を用いて印刷データとして復号化し、復号化された印刷データの印刷処理を実行する印刷実行部を備えている。モバイル端末認証部２００５および印刷実行部２００６は、本発明における印刷実行部の一具体例に相当する。また、後述する図４のステップＳ３００８〜ステップＳ３０１０の処理は、本発明における印刷実行部が行う処理の一具体例に相当する。
【００３９】
また、本発明における画像形成装置は、暗号化データの印刷が可能である旨の回答を回答送信部が送信した場合に、情報端末装置に、暗号化データを復号化する復号化情報（パスワード）の入力を受け付ける入力画面を表示させる表示命令を送信する表示命令送信部を備えている。パスワード表示命令送信部２００８は、本発明における表示命令送信部の一具体例に相当する。また、後述する図３のステップＳ２００２の処理は、本発明における表示命令送信部が行う処理の一具体例に相当する。また、後述する図５に示すパスワード入力画面は、本発明における復号化情報の入力を受け付ける入力画面の一具体例に相当する。
【００４０】
問い合わせ受信部２００１は、モバイル端末１０００から送られた、暗号化ＰＤＦファイルの印刷サポートの有無の問い合わせを受信し、暗号化ＰＤＦファイルの印刷のサポートの有無を確認する。
【００４１】
印刷ジョブ受信部２００２は、モバイル端末１０００から送られた印刷ジョブを受信する。
【００４２】
パスワード復号化処理部２００３は、モバイル端末１０００から送られた暗号化パスワードを受信し、復号化する。
【００４３】
パスワード比較処理部２００４は、復号化されたパスワードと暗号化ＰＤＦファイルのパスワードが一致しているか否かを確認する。
【００４４】
モバイル端末認証部２００５は、印刷装置２０００にモバイル端末１０００がかざされたことを確認し、かざされた場合は、例えばＮＦＣ通信によって、モバイル端末の固有情報を取得する。
【００４５】
印刷実行部２００６は、印刷ジョブ受信部２００２で受信した印刷ジョブを印刷する。
【００４６】
回答送信部２００７は、問い合わせ受信部が受信した問い合わせに対する回答を情報端末装置に送信する。
【００４７】
パスワード表示命令送信部２００８は、暗号化データの印刷が可能である旨の回答（暗号化ＰＤＦファイルの印刷サポート有りの回答）を回答送信部２００７が送信した場合に、モバイル端末１０００に、暗号化ＰＤＦファイルを復号化する復号化情報（パスワード）の入力を受け付けるパスワード入力画面（図５参照）を表示させるパスワード入力画面表示命令を送信する。
【００４８】
［１．２  動作］
次に、図２〜図４、および図５〜図７を参照して、第１の実施の形態に係る印刷システムの動作を説明する。
【００４９】
図２には、印刷装置２０００が暗号化ＰＤＦファイルの印刷をサポートしている場合とサポートしていない場合とに共通する印刷システムの動作の一例を示す。
【００５０】
図２に示したように、印刷システムでは、まずモバイル端末１０００の問い合わせ送信部１００８から印刷装置２０００に対し、暗号化ＰＤＦファイルの印刷がサポートされているか否か（暗号化ＰＤＦファイルの印刷サポートの有無）の問い合わせを送信する（ステップＳ１０００）。
【００５１】
印刷装置２０００の問い合わせ受信部２００１は、モバイル端末１０００からの問い合わせを受信する（ステップＳ１００１）。問い合わせ受信部２００１内では、印刷装置２０００が暗号化ＰＤＦファイルの印刷をサポートしているか否か（暗号化ＰＤＦファイルの印刷サポートの有無）を確認する（ステップＳ１００２）。
【００５２】
暗号化ＰＤＦファイルの印刷をサポートしている場合（ステップＳ１００２：Ｙ）には、印刷装置２０００の回答送信部２００７が、回答として、暗号化ＰＤＦファイルの印刷をサポートしている旨の問い合わせ結果（ＯＫ）をモバイル端末１０００に送信する（ステップＳ１００３）。モバイル端末１０００の回答受信部１００９は、印刷装置２０００の回答送信部２００７からの問い合わせ結果（回答）を受信し、問い合わせ結果を確認する（ステップＳ１００４）。以降の処理は、図３のフローへ遷移する（ステップＳ１００５）。
【００５３】
暗号化ＰＤＦファイルの印刷をサポートしていない場合（ステップＳ１００２：Ｎ）には、印刷装置２０００の回答送信部２００７が、回答として、暗号化ＰＤＦファイルの印刷をサポートしていない旨の問い合わせ結果（ＮＧ）をモバイル端末１０００に送信する（ステップＳ１００６）。モバイル端末１０００の回答受信部１００９は、印刷装置２０００の回答送信部２００７からの問い合わせ結果（回答）を受信し、問い合わせ結果を確認する（ステップＳ１００７）。以降の処理は、図４のフローへ遷移する（ステップＳ１００８）。
【００５４】
図３には、印刷装置２０００が暗号化ＰＤＦファイルの印刷をサポートしている場合の印刷システムの動作の一例を示す。
【００５５】
印刷装置２０００が暗号化ＰＤＦファイルの印刷をサポートしている場合、モバイル端末１０００では、印刷ジョブ生成部１００１が暗号化ＰＤＦファイルの印刷ジョブを作成し、印刷ジョブ送信部１００７が印刷ジョブ生成部１００１で生成された印刷ジョブを例えばＷｉ−Ｆｉ通信等により、印刷装置２０００に送信する（ステップＳ２０００）。
【００５６】
印刷装置２０００では、印刷ジョブ受信部２００２が印刷ジョブを受信する（ステップＳ２００１）。次に、印刷装置２０００では、パスワード表示命令送信部２００８によって、パスワード入力画面を表示させるパスワード入力画面表示命令をモバイル端末１０００に送信する（ステップＳ２００２）。
【００５７】
モバイル端末１０００では、パスワード入力画面表示命令をパスワード画面表示部１００２が受信し、モバイル端末にパスワード入力画面を表示させる（ステップＳ２００３）。次に、モバイル端末１０００では、パスワード入力画面に入力されたパスワードをパスワード暗号化処理部１００３で暗号化する（ステップＳ２００４）。パスワード暗号化処理部１００３は、暗号化したパスワードを印刷装置２０００に送信する（ステップＳ２００５）。なお、パスワード暗号化処理部１００３による暗号化は、例えばプリンタドライバによって印刷装置２０００との間であらかじめ決められた手順によって行う。暗号化したパスワードの送信は、例えばＮＦＣ通信またはＷｉ−Ｆｉ通信によって行う。印刷ジョブと暗号化したパスワードとを別々の通信経路で送信することにより、セキュリティが向上する。
【００５８】
印刷装置２０００では、暗号化されパスワードを、パスワード復号化処理部２００３によって受信し、復号化する（ステップＳ２００６）。次に、印刷装置２０００では、パスワード比較処理部２００４によって、復号化されたパスワードが暗号化ＰＤＦファイルのパスワードと一致しているか否かを確認する（ステップＳ２００７）。
【００５９】
復号化されたパスワードが暗号化ＰＤＦファイルのパスワードと一致している場合（ステップＳ２００７：Ｙ）には、印刷装置２０００では、印刷実行部２００６によって印刷処理を実行する（ステップＳ２００８）。
【００６０】
復号化されたパスワードが暗号化ＰＤＦファイルのパスワードと一致していない場合（ステップＳ２００７：Ｎ）には、印刷装置２０００では、印刷ジョブを破棄する（ステップＳ２００９）。さらに、印刷装置２０００では、印刷ジョブの破棄の後、モバイル端末１０００にエラーメッセージを作成し、送信する（ステップＳ２０１０）。
【００６１】
図４には、印刷装置２０００が暗号化ＰＤＦファイルの印刷をサポートしていない場合の印刷システムの動作の一例を示す。
【００６２】
印刷装置２０００が暗号化ＰＤＦファイルの印刷をサポートしていない場合、モバイル端末１０００では、パスワード画面表示部１００２によってパスワード入力画面を表示する（ステップＳ３０００）。次に、モバイル端末１０００では、パスワード比較処理部１００４によって、パスワード入力画面から入力されたパスワードが暗号化ＰＤＦファイルのパスワードと一致しているか否か（正しいパスワードが入力されたか否か）を確認する（ステップＳ３００１）。パスワードが正しくない場合（ステップＳ３００１：Ｎ）は、モバイル端末１０００では、パスワード入力画面の表示処理（ステップＳ３０００）に戻る。
【００６３】
入力されたパスワードが暗号化ＰＤＦファイルのパスワードと一致している場合（ステップＳ３００１：Ｙ）は、モバイル端末１０００では、ＰＤＦ復号化処理部１００５によって、暗号化ＰＤＦファイルを復号化する（ステップＳ３００２）。
【００６４】
次に、モバイル端末１０００では、復号化したＰＤＦファイルを、モバイル端末１０００自身の固有情報を用いて、ＰＤＦ暗号化処理部１００６によって再暗号化する（ステップＳ３００３）。ここで固有情報とは、モバイル端末１０００自身のＭＡＣアドレスなどを示す。
【００６５】
次に、モバイル端末１０００では、印刷ジョブ生成部１００１によって、暗号化ＰＤＦファイルの印刷ジョブを作成し、作成した印刷ジョブを印刷ジョブ送信部１００７によって印刷装置２０００に送信する（ステップＳ３００４）。
【００６６】
印刷装置２０００では、印刷ジョブ受信部２００２が印刷ジョブを受信（ステップＳ３００５）し、印刷待機状態に移る。
【００６７】
印刷装置２０００では、印刷待機状態中に、一定時間が経過したか否かを確認する（ステップＳ３００６）。印刷待機状態中の時間内の場合（ステップＳ３００６：Ｎ）、印刷装置２０００では、印刷装置２０００に印刷ジョブの送信を実行したモバイル端末１０００がかざされたか否かを確認する（ステップＳ３００７）。かざされない場合（ステップＳ３００７：Ｎ）は、印刷待機状態に戻る。
【００６８】
印刷ジョブ送信を実行したモバイル端末１０００がかざされた場合（ステップＳ３００７：Ｙ）、印刷装置２０００では、モバイル端末認証部２００５でモバイル端末１０００の固有情報を読み取る（ステップＳ３００８）。次に、印刷装置２０００では、モバイル端末認証部２００５によって、暗号化ＰＤＦファイル内の固有情報と読み取りしたモバイル端末１０００の固有情報とを照会し、一致しているか否かを確認する（ステップＳ３００９）。一致していない場合（ステップＳ３００９：Ｎ）は、印刷待機状態に戻る。
【００６９】
暗号化ＰＤＦファイル内の固有情報と読み取りしたモバイル端末１０００の固有情報とが一致している場合（ステップＳ３００９：Ｙ）は、印刷装置２０００では、印刷実行部２００６によって印刷処理を実行する（ステップＳ３０１０）。
【００７０】
印刷待機状態中から一定時間が経過した場合（ステップＳ３００６：Ｙ）は、印刷装置２０００は、印刷ジョブを破棄する（ステップＳ３０１１）。さらに、印刷装置２０００では、印刷ジョブの破棄の後、モバイル端末１０００にエラーメッセージを作成し、送信する（ステップＳ３０１２）。
【００７１】
図５〜図７に、図２〜図４の処理においてモバイル端末１０００に表示される各種画面の例を示す。
【００７２】
図５には、モバイル端末１０００に表示されるパスワード入力画面の一例を示す。図５に示すパスワード入力画面は、図３のステップＳ２００３および図４のステップＳ３０００の処理時にモバイル端末１０００に表示される。
【００７３】
図６には、モバイル端末１０００に表示されるパスワードエラー画面の一例を示す。図６に示すパスワードエラー画面は、図３のステップＳ２０１０の処理の処理によってモバイル端末１０００に表示される。
【００７４】
図７には、モバイル端末１０００に表示されるモバイル端末認証エラー画面の一例を示す。図７に示すモバイル端末認証エラー画面は、図４のステップＳ３０１２の処理によってモバイル端末１０００に表示される。
【００７５】
［１．３  効果］
以上のように、本実施の形態では、画像形成装置において暗号化データの印刷が不可能である場合に、情報端末装置において暗号化データを復号化し、画像形成装置で処理可能な印刷データを生成するようにしたので、暗号化データの印刷が可能となる。これにより、例えばパスワード設定されている暗号化ＰＤＦファイルの印刷に非対応の印刷装置に対しても、制限なく暗号化ＰＤＦファイルの印刷が可能となる。
【００７６】
＜２．その他の実施の形態＞
本発明による技術は、上記実施の形態の説明に限定されず種々の変形実施が可能である。
【００７７】
上記第１の実施の形態では、画像形成装置が印刷装置２０００である場合を例に説明したが、画像形成装置が、コピー機能、スキャン機能、プリント機能、およびファックス機能等を有するＭＦＰ（複合機）であってもよい。
【００７８】
また、上記第１の実施の形態では、モバイル端末１０００からの印刷を例に記載したが、印刷装置２０００にかざすことが可能であれば、モバイル端末１０００以外の情報端末装置からの印刷も可能である。
【符号の説明】
【００７９】
１０００…モバイル端末、１００１…印刷ジョブ生成部、１００２…パスワード画面表示部、１００３…パスワード暗号化処理部、１００４…パスワード比較処理部、１００５…ＰＤＦ復号化処理部、１００６…ＰＤＦ暗号化処理部、１００７…印刷ジョブ送信部、１００８…問い合わせ送信部、１００９…回答受信部、２０００…印刷装置、２００１…問い合わせ受信部、２００２…印刷ジョブ受信部、２００３…パスワード復号化処理部、２００４…パスワード比較処理部、２００５…モバイル端末認証部、２００６…印刷実行部、２００７…回答送信部、２００８…パスワード表示命令送信部。
【図１】
2020087244.tif 000003
【図２】
2020087244.tif 000004
【図３】
2020087244.tif 000005
【図４】
2020087244.tif 000006
【図５】
2020087244.tif 000007
【図６】
2020087244.tif 000008
【図７】
2020087244.tif 000009